(57)【要約】【課題】  上下筐体が開状態に変化した際、所定の遅れ時間を経て、表示装置に表示を行わせる開閉自在の情報処理装置及び移動通信端末装置を提供する。【解決手段】  移動通信端末装置の制御部は、装置の状態が筐体閉じ制御状態にあって、上下筐体が開けられた際に動作を開始し（ステップＳ４０１）、装置の状態を筐体開き検出状態とする（ステップＳ４０２）。そして、装置の動作状況を調べて（ステップＳ４０３）、その状況に応じた設定値を検索して（ステップＳ４０４〜Ｓ４０７）、その設定値が経過した場合（ステップＳ４０９の「経過した」）、装置の状態を筐体開き制御状態として（ステップＳ４１０）、表示装置に表示を行わせる制御を行う。【選択図】  図６
2007104412.tif 000002
【特許請求の範囲】
【請求項１】
第１の筐体と第２の筐体が開閉自在に連結されてなり、
前記第１及び第２の筐体が開状態にあるか、閉状態にあるかを検出する筐体開閉検出手段と、
前記第１及び第２の筐体が開状態にある際に使用者に視認可能な場所に設置された表示手段と、
自装置の動作状況と、開き制御時間との組からなる情報を記憶する開き制御時間記憶手段と、
自装置の動作状況を検出し、前記筐体開閉検出手段によって前記第１及び第２の筐体が閉状態にあることが検出された後、開状態にあることが検出され、その開状態にあることが検出された後、閉状態にあることが検出されないまま、自装置の前記検出された動作状況と組をなして前記開き制御時間記憶手段に記憶された開き制御時間が経過したことを検出した場合、前記表示手段に表示させる制御を行う制御手段と
を有することを特徴とする情報処理装置。
【請求項２】
自装置の動作状況と、閉じ制御時間との組からなる情報を記憶する閉じ制御時間記憶手段を更に有し、
自装置の動作状況と組をなして前記閉じ制御時間記憶手段に記憶された閉じ制御時間は、自装置の前記動作状況と組をなして開き制御時間記憶手段に記憶された開き制御時間以下であり、
前記制御手段は、自装置の動作状況を検出し、前記筐体開閉検出手段によって前記第１及び第２の筐体が開状態にあることが検出された後、閉状態にあることが検出され、その閉状態にあることが検出された後、開状態にあることが検出されないまま、自装置の前記検出された動作状況と組をなして前記閉じ制御時間記憶手段に記憶された閉じ制御時間が経過したことを検出した場合、前記表示手段に表示させない制御を行う
ことを特徴とする請求項１に記載の情報処理装置。
【請求項３】
第１の筐体と第２の筐体が開閉自在に連結されてなり、
着信信号を受信して、その着信信号が受信されたことを報知する着信受信手段と、
前記第１及び第２の筐体が開状態にあるか、閉状態にあるかを検出する筐体開閉検出手段と、
前記第１及び第２の筐体が開状態にある際に使用者に視認可能な場所に設置された表示手段と、
第１の開き制御時間と、前記第１の開き制御時間を超える第２の開き制御時間とを記憶する開き制御時間記憶手段と、
前記着信受信手段によって着信信号が受信されたことが報知されている場合、前記筐体開閉検出手段によって前記第１及び第２の筐体が閉状態にあることが検出された後、開状態にあることが検出され、その開状態にあることが検出された後、閉状態にあることが検出されないまま前記開き制御時間記憶手段に記憶された第１の開き制御時間が経過すると、前記表示手段に表示させる制御を行い、前記着信受信手段によって着信信号が受信されたことが報知されていない場合、前記筐体開閉検出手段によって前記第１及び第２の筐体が閉状態にあることが検出された後、開状態にあることが検出され、その開状態にあることが検出された後、閉状態にあることが検出されないまま前記開き制御時間記憶手段に記憶された第２の開き制御時間が経過すると、前記表示手段に表示させる制御を行う制御手段と
を有することを特徴とする移動通信端末装置。
【発明の詳細な説明】
【技術分野】
【０００１】
本発明は、情報処理装置及び移動通信端末装置に係り、特に、開閉自在の情報処理装置及び移動通信端末装置の表示装置の制御処理に関する。
【背景技術】
【０００２】
上筐体と下筐体が開閉自在に連結され、上筐体の内側に設置された表示装置は、上下筐体が開状態にあっては使用者に視認され、上下筐体が閉状態にあっては使用者に視認されない移動通信端末装置が知られている。
【０００３】
移動通信端末装置は、蓄電池に蓄えられた電力によって動作する。そして、表示装置が不用意に長時間に渡る表示を行うと多くの電力を消費し、また、表示装置の劣化を招く恐れがある。そのため、この移動通信端末装置は、上下筐体が開状態にあるか閉状態にあるかを検出する筐体開閉検出部を備え、筐体開閉検出部が上下筐体が開状態にあると検出した場合、制御部は、バックライトの点灯を含む表示装置に表示を行わせる制御をし、開状態にあると検出した場合、バックライトの消灯を含む表示装置に表示を行わせない制御をすることが知られており、この制御の詳細は、例えば、特開２００３−４６６４０号公報に記載されている。
【０００４】
そして、更に消費電力の削減を行うため、筐体開閉検出部によって上下筐体が閉状態から開状態に変化したことが検出され、かつ、上下筐体が閉状態にあった時間が所定時間より短い場合、制御部は、表示装置の表示を行わない制御をする処理が知られている。この処理によれば、装置の使用者が癖などにより、所定時間経過前に上下筐体を閉状態から開状態に変化させた場合、消費電力の削減がされる（例えば、特許文献１参照。）。
【特許文献１】特開２００２−３００２７０号公報（第２頁、図３）
【発明の開示】
【発明が解決しようとする課題】
【０００５】
しかしながら、上述した特許文献１に開示されている方法では、上下筐体が閉状態にあった時間が上記所定時間より長い場合、消費電力の削減が行われない問題点があった。更に、上下筐体が開状態に変化したにも係らず、表示装置は表示を行わないことにより、使用者に不審を抱かせる問題点があった。
【０００６】
本発明は上記問題点を解決するためになされたもので、上下筐体が開状態に変化した際、所定の遅れ時間を経て、表示装置に表示を行わせる開閉自在の情報処理装置及び移動通信端末装置を提供することを目的とする。
【課題を解決するための手段】
【０００７】
上記目的を達成するために、本発明の情報処理装置は、第１の筐体と第２の筐体が開閉自在に連結されてなり、前記第１及び第２の筐体が開状態にあるか、閉状態にあるかを検出する筐体開閉検出手段と、前記第１及び第２の筐体が開状態にある際に使用者に視認可能な場所に設置された表示手段と、自装置の動作状況と、開き制御時間との組からなる情報を記憶する開き制御時間記憶手段と、自装置の動作状況を検出し、前記筐体開閉検出手段によって前記第１及び第２の筐体が閉状態にあることが検出された後、開状態にあることが検出され、その開状態にあることが検出された後、閉状態にあることが検出されないまま、自装置の前記検出された動作状況と組をなして前記開き制御時間記憶手段に記憶された開き制御時間が経過したことを検出した場合、前記表示手段に表示させる制御を行う制御手段とを有することを特徴とする。
【０００８】
また、本発明の移動通信端末装置は、第１の筐体と第２の筐体が開閉自在に連結されてなり、着信信号を受信して、その着信信号が受信されたことを報知する着信受信手段と、前記第１及び第２の筐体が開状態にあるか、閉状態にあるかを検出する筐体開閉検出手段と、前記第１及び第２の筐体が開状態にある際に使用者に視認可能な場所に設置された表示手段と、第１の開き制御時間と、前記第１の開き制御時間を超える第２の開き制御時間とを記憶する開き制御時間記憶手段と、前記着信受信手段によって着信信号が受信されたことが報知されている場合、前記筐体開閉検出手段によって前記第１及び第２の筐体が閉状態にあることが検出された後、開状態にあることが検出され、その開状態にあることが検出された後、閉状態にあることが検出されないまま前記開き制御時間記憶手段に記憶された第１の開き制御時間が経過すると、前記表示手段に表示させる制御を行い、前記着信受信手段によって着信信号が受信されたことが報知されていない場合、前記筐体開閉検出手段によって前記第１及び第２の筐体が閉状態にあることが検出された後、開状態にあることが検出され、その開状態にあることが検出された後、閉状態にあることが検出されないまま前記開き制御時間記憶手段に記憶された第２の開き制御時間が経過すると、前記表示手段に表示させる制御を行う制御手段とを有することを特徴とする。
【発明の効果】
【０００９】
本発明によれば、上下筐体が開状態に変化した際、所定の遅れ時間を経て、表示装置に表示を行わせる開閉自在の情報処理装置及び移動通信端末装置を提供することができる。
【発明を実施するための最良の形態】
【００１０】
以下に、本発明による情報処理装置及び移動通信端末装置の実施の形態を、図面を参照して説明する。図１は、本発明の実施形態に係る開閉自在の移動通信端末装置の上下筐体が開状態にある際の正面図を示す。この移動通信端末装置は、上筐体１０１と下筐体１０２とをヒンジ部１０３によって回動自在に連結してなる。
【００１１】
上筐体１０１の外面には、電磁波の送受に用いられるアンテナ２０１が設置され、上筐体１０１の内面には、受話に用いられるスピーカ２０４と、バックライト付きのＬＣＤである表示部２１１とが設置されている。また、下筐体１０２の内面には、数字や文字の入力などに用いられるキーボード２１３と、送話に用いられるマイクロフォン２０５とが設置されている。
【００１２】
図２は、この移動通信端末装置の概観を示す図であり、図２（ａ）は上下筐体１０１、１０２が開状態にある際の概観を、図２（ｂ）は、上下筐体１０１、１０２が閉状態にある際の概観をそれぞれ示す。この移動通信端末装置は、上筐体１０１と下筐体１０２とをヒンジ部１０３によって回動自在に連結してなることによって、上下筐体１０１、１０２の角度がほぼ１８０度（開状態）からほぼ０度（閉状態）の間で開閉自在に構成されている。
【００１３】
そして、上下筐体１０１、１０２が閉状態にある場合、図２（ｂ）に示す様に、表示部２１１は上下筐体１０１、１０２の内面に位置し、使用者は、表示部２１１を視認することができない。そこで、この移動通信端末装置は、上筐体１０１の外面に第２の表示部（図示せず）を有し、第２の表示部は、上下筐体１０１、１０２が閉状態にある場合、使用者によって視認可能であるとしても良い。
【００１４】
ここで、この移動通信端末装置には、上下筐体１０１、１０２が開状態にあるか、閉状態にあるかを検出する筐体開閉検出部（図示せず）が設置されている。筐体開閉検出部は、上筐体１０１の内面の所定の位置に凸部を、そして、下筐体１０２の内面で、上下筐体１０１、１０２が閉状態にある場合に上記凸部によって押下される位置に電気的スイッチを設けたものであり、そのスイッチが押下されているか否かによって開閉を検出するが、これに限るものではない。
【００１５】
例えば、上筐体１０１の内部と下筐体１０２の内部であって、上下筐体１０１、１０２が閉状態にある場合に近い距離に位置する場所にそれぞれ磁石を設け、それらの磁石の間に働く磁力の有無を検出するものであり、その磁力の有無によって開閉を検出しても良い。
【００１６】
図３は、この移動通信端末装置の構成を示すブロック図である。この移動通信端末装置は、基地局（図示せず）との間で電磁波の送受信を行うアンテナ２０１と、無線処理部２０２と、送受信部２０３と、受話用のスピーカ２０４と、送話用のマイクロフォン２０５と、通話部２０６と、筐体開閉検出部２０７と、時刻を保持する時計部２０８と、装置全体の制御を行う制御部２０９と、表示処理部２１０と、バックライト付きのＬＣＤである表示部２１１と、入力処理部２１２と、キーボード２１３と、電子メール部２１４と、ブラウザ部２１５と、情報記憶部２１６とからなる。
【００１７】
制御部２０９には、開閉制御設定値２０９ａが記憶される。また、情報記憶部２１６には、後述するように、ファイルが記憶される。
【００１８】
上記のように構成された、本発明の実施形態に係る移動通信端末装置の各部の動作を、図３及び図４を参照して説明する。
【００１９】
図４は、開閉制御設定値２０９ａの一例を示す。開閉制御設定値２０９ａは、動作状況２０９ｂと、開き制御設定値２０９ｃと、閉じ制御設定値２０９ｄとが対応付けられた情報からなる。動作状況２０９ｂは、装置で動作中の処理の状況であって、「待ち受け中」、「音声着信中」、「電子メール着信中」、「電子メール部動作中」、「ブラウザ部動作中」などである。
【００２０】
開き制御設定値２０９ｃは、ある動作状況２０９ｂに対応して、上下筐体１０１、１０２が開状態になったと検出されてから制御部２０９がその開状態に対応する制御動作を行うまでの時間であり、閉じ制御設定値２０９ｄは、ある動作状況２０９ｂに対応して、上下筐体１０１、１０２が閉状態になったと検出されてから制御部２０９がその閉状態に対応する制御動作を行うまでの時間である。
【００２１】
無線処理部２０２は、アンテナ２０１が受信した高周波信号を送受信部２０３へ出力し、また、送受信部２０３から出力される高周波信号をアンテナ２０１より送信する。
【００２２】
送受信部２０３は、無線処理部２０２からの高周波信号を増幅、周波数変換及び復調し、それによって得られたディジタル音声信号を通話部２０６へ、また、音声通話着信信号と電子メール着信信号とを含む制御信号を制御部２０９に送る。更には、通話部２０６から出力されるディジタル音声信号、及び制御部２０９から出力される制御信号を変調、周波数変換及び増幅し、高周波信号を得て、それを無線処理部２０２に送る。
【００２３】
通話部２０６は、送受信部２０３から出力されるディジタル音声信号をアナログ音声信号に変換し、それを増幅してスピーカ２０４に送る。また、マイクロフォン２０５から出力されるアナログ音声信号を増幅し、それをディジタル音声信号に変換して送受信部２０３に送信する。
【００２４】
筐体開閉検出部２０７は、上下筐体１０１、１０２が開状態にあるか、または、閉状態にあるかを検出する装置である。そして、筐体開閉検出部２０７は、上下筐体１０１、１０２が開状態にあることが検出された後、閉状態にあることを検出した場合、即ち、上下筐体１０１、１０２が開けられた場合、上下筐体１０１、１０２が開状態から閉状態に変化したことを示す信号を制御部２０９に送信する。更に、上下筐体１０１、１０２が閉状態にあることが検出された後、開状態にあることを検出した場合、即ち、上下筐体１０１、１０２が閉じられた場合、上下筐体１０１、１０２が閉状態から開状態に変化したことを示す信号を制御部２０９に送信する。
【００２５】
制御部２０９は、筐体開閉検出部２０７から送信された、上下筐体１０１、１０２が閉状態から開状態に変化したことを示す信号を受信して、表示処理部２１０を制御して表示部２１１の表示を行わせる制御を行う。また、筐体開閉検出部２０７から送信された、上下筐体１０１、１０２が開状態から閉状態に変化したことを示す信号を受信して、表示処理部２１０を制御して表示部２１１の表示を行わせない制御を行う。
【００２６】
また、装置が第２の表示部を有している場合、制御部２０９は、上下筐体１０１、１０２が閉状態から開状態に変化したことを示す信号を受信して、表示処理部２１０を制御して第２の表示部の表示を行わせない制御を行う。また、上下筐体１０１、１０２が開状態から閉状態に変化したことを示す信号を受信して、表示処理部２１０を制御して第２の表示部の表示を行わせる制御を行う。
【００２７】
また、制御部２０９は、時計部２０８が保持する時刻を参照して、上下筐体１０１、１０２が閉状態から開状態に変化したことを示す信号を受信した後、入力処理部２１２からキーの識別子を受信しない時間が所定の時間を越えた場合、表示処理部２１０を制御して表示部２１１の表示を行わせない制御を行う。
【００２８】
更に、制御部２０９は、送受信部２０３から送信された着信信号を受信して、着信報知音をスピーカ２０４、または、上筐体１０１もしくは下筐体１０２の外面に設置された第２のスピーカ（図示せず）から発生させて着信信号が受信されたことを報知する。また、バイブレータ部（図示せず）を振動させて、着信信号が受信されたことを報知しても良い。
【００２９】
表示処理部２１０は、制御部２０９に制御されて、制御部２０９から送信されたカーソルを含む文字・数字や画像データを表示部２１１に表示させる。この表示の際、表示処理部２１０は、表示部２１１のバックライトを点灯させる。制御部２０９から送信されるデータは、入力処理部２１２からの入力信号や送受信部２０３からの着信信号に応答して制御部２０９からの指示を受けることで切換わる。また、装置が第２の表示部を有している場合、表示処理部２１０は、上記と同様に第２の表示部にデータを表示させ、また、第２の表示部のバックライトを点灯させる。
【００３０】
入力処理部２１２は、キーボード２１３のキーが操作されると、その操作されたキーを検出して、そのキーの識別子を制御部２０９に通知する。そして、制御部２０９によって、表示部２１１に文字として表示され、または、制御が行われる。
【００３１】
キーボード２１３は、通話相手の電話番号などを指定し、また、トグル式の入力方式によって文字を入力するための数字キーと、カーソル移動キーを含む複数の機能キーとを含むキーからなる。
【００３２】
電子メール部２１４は、電子メールの送受信を行う装置である。即ち、電子メール部２１４は、使用者によってキーボード２１３の所定のキーが操作されることにより、制御部２０９によって起動され、電子メールの送信動作を開始する。
【００３３】
電子メール部２１４は、続いて、入力処理部２１２から送信された所定のキーの識別子に従って、電子メールの宛先メールアドレスを作成する。そして、入力処理部２１２から送信された所定のキーの識別子を用いて入力された文字からなる電子メールの標題及び本文データを作成することによって、宛先メールアドレスと、標題と、本文データとからなる電子メール（送信メール）を作成する。ここで、入力処理部２１２から送信された所定のキーの識別子に従って、送信メールに情報記憶部２１６に記憶されたファイルを添付ファイルとして添付する。
【００３４】
次に、電子メール部２１４は、上記作成された送信メールを制御部２０９経由で送受信部２０３に送信する。この送信メールは、更に、無線処理部２０２、アンテナ２０１、基地局を介してメールサーバ装置（図示せず）に送信される。
【００３５】
また、電子メール部２１４は、メールサーバ装置から基地局、アンテナ２０１、無線処理部２０２、送受信部２０３を介して送られた電子メール（受信メール）を制御部２０９経由で受信し、受信された受信メールを、電子メール部２１４内の記憶部（図示せず）に格納し、また、その受信メールに添付ファイルが添付されている場合、その添付ファイルを情報記憶部２１６に格納して、動作を終了する。
【００３６】
そして、電子メール部２１４は、使用者によってキーボード２１３の所定のキーが操作されることにより、制御部２０９によって起動され、電子メール部２１４内の記憶部に記憶された受信メールの一覧を表示処理部２１０に送って表示部２１１に表示する。そして、入力処理部２１２から送信された所定のキーの識別子を受信すると、その受信メールの中の１つを選択し、選択された受信メールを表示処理部２１０に送って表示部２１１に表示する。また、その受信メールに添付ファイルが添付されている場合、その添付ファイルを情報記憶部２１６から読み出して、その添付ファイルが画像ファイルであれば、その画像を表示処理部２１０に送って表示部２１１に表示する。
【００３７】
ブラウザ部２１５は、Ｗｅｂサイトへアクセスする装置である。即ち、ブラウザ部２１５は、使用者によってキーボード２１３の所定のキーが操作されることにより、制御部２０９によって起動され、Ｗｅｂサイトへアクセスする動作を開始する。
【００３８】
ブラウザ部２１５は、続いて、入力処理部２１２から送信された所定のキーの識別子に従って、Ｗｅｂサイトのアドレスを作成する。そして、作成されたアドレスを制御部２０９経由で送受信部２０３に送信する。ブラウザ部２１５は、送受信部２０３、無線処理部２０２、アンテナ２０１、基地局を介してこのアドレスで識別されるＷｅｂサーバ装置（図示せず）と接続される。
【００３９】
また、ブラウザ部２１５は、Ｗｅｂサーバ装置から基地局、アンテナ２０１、無線処理部２０２、送受信部２０３を介して送られたＷｅｂサイトの情報を制御部２０９経由で受信し、受信された情報を表示処理部２１０に送って表示部２１１に表示し、または、ファイルとして情報記憶部２１６に格納する。
【００４０】
以下、本発明の移動通信端末装置の上下筐体１０１、１０２の開閉に伴う、表示部２１１の表示を制御する動作を説明する。
【００４１】
図５は、この移動通信端末装置の筐体開閉検出部２０７による上下筐体１０１、１０２が開状態にあるか、または、閉状態にあるかの検出、及び、その開閉の変化を示す信号を受信した制御部２０９による制御の状態を示す状態遷移図である。この状態の把握、及び、ある状態から別の状態への遷移は、制御部２０９によって制御される。
【００４２】
この移動通信端末装置は、筐体閉じ制御状態３０１と、筐体開き検出状態３０２と、筐体開き制御状態３０３と、筐体閉じ検出状態３０４との４つの状態の中のいずれかの状態にある。
【００４３】
筐体閉じ制御状態３０１は、筐体開閉検出部２０７によって上下筐体１０１、１０２が閉じられていることが検出され、制御部２０９によって上下筐体１０１、１０２が閉じられている際の表示部２１１の表示の制御が行われている状態である。筐体開き検出状態３０２は、筐体開閉検出部２０７によって上下筐体１０１、１０２が開けられていることが検出されているが、制御部２０９によって上下筐体１０１、１０２が閉じられている際の表示部２１１の表示の制御が行われている状態である。
【００４４】
筐体開き制御状態３０３は、筐体開閉検出部２０７によって上下筐体１０１、１０２が開けられていることが検出され、制御部２０９によって上下筐体１０１、１０２が開けられている際の表示部２１１の表示の制御が行われている状態である。筐体閉じ検出状態３０４は、筐体開閉検出部２０７によって上下筐体１０１、１０２が閉じられていることが検出されているが、制御部２０９によって上下筐体１０１、１０２が開けられている際の表示部２１１の表示の制御が行われている状態である。
【００４５】
ここで、筐体閉じ制御状態３０１と筐体開き検出状態３０２とにおいては、制御部２０９は、表示処理部２１０を制御して表示部２１１への表示を行わせない。一方、筐体開き制御状態３０３と筐体閉じ検出状態３０４とにおいては、制御部２０９は、表示処理部２１０を制御して表示部２１１への表示を行わせる。
【００４６】
そして、移動通信端末装置の状態が筐体閉じ制御状態３０１にある場合、筐体開閉検出部２０７によって上下筐体１０１、１０２が開けられたことを示す筐体開きイベント３０５が検出されると、状態は筐体開き検出状態３０２に遷移する。状態が筐体開き検出状態３０２にある場合、筐体開閉検出部２０７によって上下筐体１０１、１０２が閉じられたことを示す筐体閉じイベント３０６が検出されると、状態は筐体閉じ制御状態３０１に遷移する。また、状態が筐体開き検出状態３０２にある場合、制御部２０９によって開き制御時間経過イベント３０７が検出されると、状態は、筐体開き制御状態３０３に遷移する。
【００４７】
状態が筐体開き制御状態３０３にある場合、筐体開閉検出部２０７によって上下筐体１０１、１０２が閉じられたことを示す筐体閉じイベント３０８が検出されると、状態は筐体閉じ検出状態３０４に遷移する。状態が筐体閉じ検出状態３０４にある場合、筐体開閉検出部２０７によって上下筐体１０１、１０２が開けられたことを示す筐体開きイベント３０９が検出されると、状態は筐体開き制御状態３０３に遷移する。また、状態が筐体閉じ検出状態３０４にある場合、制御部２０９によって閉じ制御時間経過イベント３１０が検出されると、状態は、筐体閉じ制御状態３０１に遷移する。
【００４８】
図６は、上下筐体１０１、１０２の開閉に伴う、表示部２１１の表示を制御する、制御部２０９の制御動作であって、上下筐体１０１、１０２が閉じられており、装置が筐体閉じ制御状態３０１にある場合に開始される制御動作のフローチャートを示す。制御部２０９は、筐体開閉検出部２０７から送信された上下筐体１０１、１０２が開けられたことを示す信号を受信して（筐体開きイベント３０５の発生）、制御動作を開始する（ステップＳ４０１）。そして、装置の状態を筐体開き検出状態３０２とする（ステップＳ４０２）。
【００４９】
次に、制御部２０９は、装置の動作状況を調べ（ステップＳ４０３）、その状況が待ち受け中であれば、動作状況２０９ｂが「待ち受け中」に等しいことを検索キーに開閉制御設定値２０９ａを検索して、開き制御設定値２０９ｃを得る（ステップＳ４０４）。図４に示す開閉制御設定値２０９ａの一例によれば、開き制御設定値２０９ｃとして、５００ミリ秒を得る。
【００５０】
また、ステップＳ４０３で、その状況が音声着信中であれば、動作状況２０９ｂが「音声着信中」に等しいことを検索キーに開閉制御設定値２０９ａを検索して、開き制御設定値２０９ｃを得る（ステップＳ４０５）。図４に示す開閉制御設定値２０９ａの一例によれば、開き制御設定値２０９ｃとして、２０ミリ秒を得る。
【００５１】
また、ステップＳ４０３で、その状況が電子メール着信中であれば、動作状況２０９ｂが「電子メール着信中」に等しいことを検索キーに開閉制御設定値２０９ａを検索して、開き制御設定値２０９ｃを得る（ステップＳ４０６）。図４に示す開閉制御設定値２０９ａの一例によれば、開き制御設定値２０９ｃとして、５０ミリ秒を得る。
【００５２】
また、ステップＳ４０３で、その状況がアプリケーション動作中であれば、動作状況２０９ｂがそのアプリケーションが動作中であることを検索キーに開閉制御設定値２０９ａを検索して、開き制御設定値２０９ｃを得る（ステップＳ４０７）。
【００５３】
図４に示す開閉制御設定値２０９ａの一例によれば、動作中のアプリケーションが電子メール部２１４である場合、動作状況２０９ｂが「電子メール部動作中」に等しいことを検索キーに検索して、開き制御設定値２０９ｃとして、２００ミリ秒を得る。また、動作中のアプリケーションがブラウザ部２１５である場合、動作状況２０９ｂが「ブラウザ部動作中」に等しいことを検索キーに検索して、開き制御設定値２０９ｃとして、２００ミリ秒を得る。
【００５４】
上記のように開き制御設定値２０９ｃが得られた後、制御部２０９は、筐体開閉検出部２０７から送信された上下筐体１０１、１０２が閉じられたことを示す信号を受信した（筐体閉じイベント３０６の発生）か否かを調べる（ステップＳ４０８）。そして、その信号が得られない場合（ステップＳ４０８の「閉じられない」）、動作時の時刻と、ステップＳ４０１でこの制御動作が開始された際の時刻との差が、ステップＳ４０４〜Ｓ４０７で得られた開き制御設定値２０９ｃを超えたか否か、言い換えると、この制御動作が開始されてからステップＳ４０４〜Ｓ４０７で得られた開き制御設定値２０９ｃが経過した（開き制御時間経過イベント３０７の発生）か否かを時計部２０８が保持する時刻を参照して調べる（ステップＳ４０９）。
【００５５】
そして、上記開き制御設定値２０９ｃが経過した場合、制御部２０９は、装置の状態を筐体開き制御状態３０３とし（ステップＳ４１０）、一方、ステップＳ４０８で上記信号が得られた場合（ステップＳ４０８の「閉じられた」）、装置の状態を筐体閉じ制御状態３０１として（ステップＳ４１１）、制御動作を終了する（ステップＳ４１２）。
【００５６】
また、ステップＳ４０９で上記開き制御設定値２０９ｃが未経過である場合、制御部２０９は、ステップＳ４０８の筐体開閉検出部２０７から送信された上下筐体１０１、１０２が閉じられたことを示す信号を受信したか否かを調べる動作に移る。
【００５７】
以上説明した通り、上下筐体１０１、１０２が閉じられている際、制御部２０９は、筐体開閉検出部２０７から送信された上下筐体１０１、１０２が開けられたことを示す信号を受信して動作を開始して（ステップＳ４０１）、装置の動作状況２０９ｂに依存する所定の時間の経過を待って（ステップＳ４０９の「経過した」）、上下筐体１０１、１０２が開けられている場合の制御動作を行う（ステップＳ４１０）。
【００５８】
この所定の時間の経過を待つ制御動作により、上下筐体１０１、１０２が開けられてからその所定の時間が経過する前に閉じられた場合、制御部２０９は、上下筐体１０１、１０２が開けられている場合の制御動作を行わない。そのため、バックライトの点灯を含む、表示部２１１の動作による消費電力が削減され、また、表示処理部２１０による消費電力が削減される。この表示処理部２１０による消費電力の削減は、表示処理部２１０が第２の表示部をも制御する場合、顕著である。
【００５９】
この所定の時間は、図２（ｂ）に示す上下筐体１０１、１０２が閉状態にある時に、装置の使用者が上下筐体１０１、１０２を開けて、図２（ａ）に示す上下筐体１０１、１０２が開状態に至るまでの時間と同程度に設定される。更に、この上下筐体１０１、１０２が開状態に至るまでの時間は、装置の動作状況に依存して変化するので、上記所定の時間は、装置の動作状況２０９ｂに依存した値を開閉制御設定値２０９ａに記憶される。
【００６０】
即ち、動作状況２０９ｂが「音声着信中」である場合、その着信の発呼者を待たせることを避けるべく、装置の使用者は、急いで上下筐体１０１、１０２を開けるので、図４に一例を示すように、開き制御設定値２０９ｃを短く設定する。この場合に準じて、動作状況２０９ｂが「電子メール着信中」である場合、開き制御設定値２０９ｃをやや短く設定する。
【００６１】
一方、動作状況２０９ｂが「待ち受け中」である場合、装置の使用者は、急がずに上下筐体１０１、１０２を開けるので、開き制御設定値２０９ｃを長く設定する。この場合に準じて、動作状況２０９ｂがアプリケーションが動作中であることを示す場合、開き制御設定値２０９ｃをやや長く設定する。
【００６２】
また、装置が複数の動作状況２０９ｂである、例えば、「音声着信中」であり、かつ、「電子メール部動作中」である場合、ステップＳ４０４〜Ｓ４０７の検索によって複数の開き制御設定値２０９ｃが検索される。この場合、検索された開き制御設定値２０９ｃの中の最小の値を選択して、以後の動作で用いる。この処理によって、複数の動作状況２０９ｂの中で、最も急いで上下筐体１０１、１０２を開ける動作状況２０９ｂに適切な開き制御設定値２０９ｃが選択される。
【００６３】
図７は、上下筐体１０１、１０２の開閉に伴う、表示部２１１の表示を制御する、制御部２０９の制御動作であって、上下筐体１０１、１０２が開けられており、装置が筐体開き制御状態３０３にある場合に開始される制御動作のフローチャートを示す。制御部２０９は、筐体開閉検出部２０７から送信された上下筐体１０１、１０２が閉じられたことを示す信号を受信して（筐体閉じイベント３０８の発生）、制御動作を開始する（ステップＳ５０１）。そして、装置の状態を筐体閉じ検出状態３０４とする（ステップＳ５０２）。
【００６４】
次に、制御部２０９は、装置の動作状況を調べ（ステップＳ５０３）、その状況が待ち受け中であれば、動作状況２０９ｂが「待ち受け中」に等しいことを検索キーに開閉制御設定値２０９ａを検索して、閉じ制御設定値２０９ｄを得る（ステップＳ５０４）。図４に示す開閉制御設定値２０９ａの一例によれば、閉じ制御設定値２０９ｄとして、２０ミリ秒を得る。
【００６５】
また、ステップＳ５０３で、その状況が音声着信中であれば、動作状況２０９ｂが「音声着信中」に等しいことを検索キーに開閉制御設定値２０９ａを検索して、閉じ制御設定値２０９ｄを得る（ステップＳ５０５）。図４に示す開閉制御設定値２０９ａの一例によれば、閉じ制御設定値２０９ｄとして、２０ミリ秒を得る。
【００６６】
また、ステップＳ５０３で、その状況が電子メール着信中であれば、動作状況２０９ｂが「電子メール着信中」に等しいことを検索キーに開閉制御設定値２０９ａを検索して、閉じ制御設定値２０９ｄを得る（ステップＳ５０６）。図４に示す開閉制御設定値２０９ａの一例によれば、閉じ制御設定値２０９ｄとして、２０ミリ秒を得る。
【００６７】
また、ステップＳ５０３で、その状況がアプリケーション動作中であれば、動作状況２０９ｂがそのアプリケーションが動作中であることを検索キーに開閉制御設定値２０９ａを検索して、閉じ制御設定値２０９ｄを得る（ステップＳ５０７）。
【００６８】
図４に示す開閉制御設定値２０９ａの一例によれば、動作中のアプリケーションが電子メール部２１４である場合、動作状況２０９ｂが「電子メール部動作中」に等しいことを検索キーに検索して、閉じ制御設定値２０９ｄとして、２０ミリ秒を得る。また、動作中のアプリケーションがブラウザ部２１５である場合、動作状況２０９ｂが「ブラウザ部動作中」に等しいことを検索キーに検索して、閉じ制御設定値２０９ｄとして、２０ミリ秒を得る。
【００６９】
上記のように、閉じ制御設定値２０９ｄが得られた後、制御部２０９は、筐体開閉検出部２０７から送信された上下筐体１０１、１０２が開けられたことを示す信号を受信した（筐体開きイベント３０９の発生）か否かを調べる（ステップＳ５０８）。そして、その信号が得られない場合（ステップＳ５０８の「開けられない」）、動作時の時刻と、ステップＳ５０１でこの制御動作が開始された際の時刻との差が、ステップＳ５０４〜Ｓ５０７で得られた閉じ制御設定値２０９ｄを超えたか否か、言い換えると、この制御動作が開始されてからステップＳ５０４〜Ｓ５０７で得られた閉じ制御設定値２０９ｄが経過した（閉じ制御時間経過イベント３１０の発生）か否かを時計部２０８が保持する時刻を参照して調べる（ステップＳ５０９）。
【００７０】
そして、上記閉じ制御設定値２０９ｄが経過した場合、制御部２０９は、装置の状態を筐体閉じ制御状態３０１とし（ステップＳ５１０）、一方、ステップＳ５０８で上記信号が得られた場合（ステップＳ５０８の「開けられた」）、装置の状態を筐体開き制御状態３０３として（ステップＳ５１１）、制御動作を終了する（ステップＳ５１２）。
【００７１】
また、ステップＳ５０９で上記閉じ制御設定値２０９ｄが未経過である場合、制御部２０９は、ステップＳ５０８の筐体開閉検出部２０７から送信された上下筐体１０１、１０２が開けられたことを示す信号を受信したか否かを調べる動作に移る。
【００７２】
以上説明した通り、上下筐体１０１、１０２が開けられている際、制御部２０９は、筐体開閉検出部２０７から送信された上下筐体１０１、１０２が閉じられたことを示す信号を受信して動作を開始して（ステップＳ５０１）、装置の動作状況２０９ｂに依存する所定の時間の経過を待って（ステップＳ５０９の「経過した」）、上下筐体１０１、１０２が閉じられている場合の制御動作を行う（ステップＳ５１０）。
【００７３】
この所定の時間の経過を待つ制御動作により、上下筐体１０１、１０２が閉じられてからその所定の時間が経過する前に開けられた場合、制御部２０９は、上下筐体１０１、１０２が閉じられている場合の制御動作を行わない。そのため、表示処理部２１０による消費電力が削減される。この表示処理部２１０による消費電力の削減は、表示処理部２１０が第２の表示部をも制御する場合、顕著である。
【００７４】
ただし、上記所定の時間が経過する間、表示部２１１には表示が行われ、その表示のための電力が消費される。そこで、長時間に渡る装置の消費電力の削減の観点から、この所定の時間は、図６のステップＳ４０９で説明した、上下筐体１０１、１０２が開けられてから、制御部２０９がその場合の制御動作を行うまでの所定時間以下に設定する。
【００７５】
なお、表示処理部２１０が表示部２１１に表示を行い、または、行わない処理をする際、表示部２１１に表示をさせたまま表示部２１１のバックライトを消灯、または、低輝度で点灯させることができる場合、制御部２０９は、ステップＳ５０２で装置の状態を筐体閉じ検出状態３０４とする際、表示処理部２１０を制御して表示部２１１のバックライトを消灯、または、低輝度で点灯させても良い。この処理によれば、ステップＳ５０９で経過を待つ際の単位時間に消費される電力が削減されるので、そのステップで経過を待つ時間を長く設定しても良い。
【００７６】
上記ステップＳ５０９で経過を待つ所定の時間は、装置の使用者の誤操作、または、使用者の意思のないまま行われた操作によって上下筐体１０１、１０２が閉じられた可能性が高いとみなされる場合、大きい値に設定される。その場合、上下筐体１０１、１０２が再度開けられる可能性が高いからである。
【００７７】
誤操作によって上下筐体１０１、１０２が閉じられた可能性が高い場合の一例は、使用者が何らかの操作中に上下筐体１０１、１０２が閉じられた場合、即ち、動作状況２０９ｂが「待ち受け中」でない場合であり、特に、動作状況２０９ｂが、アプリケーションが動作中であることを示す場合である。これらの場合の動作状況２０９ｂに対応して、閉じ制御設定値２０９ｄを長く設定する。
【００７８】
また、装置が複数の動作状況２０９ｂである場合、ステップＳ５０４〜Ｓ５０７の検索によって複数の閉じ制御設定値２０９ｄが検索される。この場合、検索された閉じ制御設定値２０９ｄの中の最大の値を選択して、以後の動作で用いる。この処理によって、複数の動作状況２０９ｂの中で、最も上下筐体１０１、１０２が再度開けられる可能性が高い動作状況２０９ｂに適切な閉じ制御設定値２０９ｄが選択される。
【００７９】
更に、上下筐体１０１、１０２が開けられてから開き制御設定値２０９ｃが経過する前に閉じられた場合、制御部２０９は、上下筐体１０１、１０２が開けられている場合の制御動作を行わず、かつ、上下筐体１０１、１０２が閉じられてから閉じ制御設定値２０９ｄが経過する前に開けられた場合、制御部２０９は、上下筐体１０１、１０２が閉じられている場合の制御動作を行わないことにより、短い時間間隔をおいて頻繁に上下筐体１０１、１０２の開閉が繰り返された場合、消費電力の削減は顕著である。更には、表示処理部２１０が頻繁に起動されることが避けられるので、表示処理部２１０の所要の処理時間が長くても良く、小規模及び／または低速で動作する装置を用いても良い。
【００８０】
上記説明では、開き制御設定値２０９ｃと閉じ制御設定値２０９ｄとは制御部２０９内の開閉制御設定値２０９ａに記憶されるとしたが、これに限るものではない。例えば、開き制御設定値２０９ｃと閉じ制御設定値２０９ｄとは、制御部２０９内の別の記憶部（図示せず）に記憶さているとしても良い。更に、制御部２０９の制御動作に組み込まれて記憶されているとしても良い。
【００８１】
また、上記説明では、開き制御設定値２０９ｃと閉じ制御設定値２０９ｄとは制御部２０９内に記憶されるとし、筐体開閉検出部２０７が上下筐体１０１、１０２の開閉状態の変化を検出して、検出した旨の信号を制御部２０９に送信した後、制御部２０９は、時計部２０８が保持する時刻を参照して、上記設定値が経過したか否かを判断し、上記設定値が経過した場合に装置の状態を筐体開き制御状態３０３または筐体閉じ制御状態３０１に遷移させるとしたが、これに限るものではない。
【００８２】
例えば、筐体開閉検出部２０７は、制御部２０９からの開閉検出要求を受信して、その要求を受信した場合、上下筐体１０１、１０２が開状態にあるか、閉状態にあるかの応答を制御部２０９に送信するとしても良い。この方法によると、制御部２０９は、所定の時間間隔で筐体開閉検出部２０７に開閉検出要求を送信して、例えば、装置が筐体閉じ制御状態３０１にあって、上下筐体１０１、１０２が閉状態にあるとの応答を受信し続けた後、１回それらが開状態にあるとの応答を受信した場合、装置の状態を筐体開き検出状態３０２に遷移させ、続いてそれらが開状態にあるとの応答を受信した場合、装置の状態を筐体開き制御状態３０３に遷移させても良い。
【００８３】
この方法による場合、制御部２０９は、筐体開閉検出部２０７に開閉検出要求を送信する時間間隔を、装置の動作状況２０９ｂと、上下筐体１０１、１０２が開状態にあるか閉状態にあるかとに依存して変更することによって、開き制御設定値２０９ｃと閉じ制御設定値２０９ｄとが動作状況２０９ｂに依存して異なる値であることと同様の制御が可能である。
【００８４】
また、上記説明では、移動通信端末装置は、折り畳みによって開閉自在であるとしたが、これに限るものではない。例えば、スライド式によって開閉自在であるとしても良い。即ち、装置は、表示部２１１が使用者によって視認可能である状態（開状態）と、視認不可能である状態（閉状態）とのいずれか一方の状態を取り、開状態にある場合、表示部２１１への表示が行われる制御がされるものであれば良い。
【００８５】
また、以上の説明は、本発明を通話や電子メールの送受信が可能な移動通信端末装置に適用した形態を例にとって行ったが、これに限るものではない。本発明は、一方向の情報の送信が可能な移動通信端末装置（ページャー）に適用することが当然に可能であり、更には、通信機能を有しない情報処理装置に適用することが当然に可能である。本発明は以上の構成に限定されるものではなく、種々の変形が可能である。
【図面の簡単な説明】
【００８６】
【図１】本発明の実施形態に係る移動通信端末装置の上下筐体が開かれた場合の正面図。
【図２】本発明の実施形態に係る移動通信端末装置の上下筐体が開かれた場合と閉じられた場合の概観図。
【図３】本発明の実施形態に係る移動通信端末装置の構成を示すブロック図。
【図４】本発明の実施形態に係る移動通信端末装置の開閉制御設定値の一例を示す図。
【図５】本発明の実施形態に係る移動通信端末装置の上下筐体の開閉の検出及びその開閉に対応する制御の状態遷移図。
【図６】本発明の実施形態に係る移動通信端末装置の制御部の上下筐体が開けられた際の制御動作のフローチャート。
【図７】本発明の実施形態に係る移動通信端末装置の制御部の上下筐体が閉じられた際の制御動作のフローチャート。
【符号の説明】
【００８７】
１０１  上筐体
１０２  下筐体
１０３  ヒンジ部
２０３  送受信部
２０７  筐体開閉検出部
２０８  時計部
２０９  制御部
２０９ａ  開閉制御設定値
２０９ｂ  動作状況
２０９ｃ  開き制御設定値
２０９ｄ  閉じ制御設定値
２１０  表示処理部
２１１  表示部
３０１  筐体閉じ制御状態
３０２  筐体開き検出状態
３０３  筐体開き制御状態
３０４  筐体閉じ検出状態
３０５、３０９  筐体開きイベント
３０６、３０８  筐体閉じイベント
３０７  開き制御時間経過イベント
３１０  閉じ制御時間経過イベント
【図１】
2007104412.tif 000003
【図２】
2007104412.tif 000004
【図３】
2007104412.tif 000005
【図４】
2007104412.tif 000006
【図５】
2007104412.tif 000007
【図６】
2007104412.tif 000008
【図７】
2007104412.tif 000009